(57)【要約】【課題】通常の引戸と同様の操作で扉の開放を行うことができ、使用者に折戸部分が接触することのない引戸装置を提供すること。【解決手段】出入口に配置される引戸扉３と、引戸枠部材２とからなり、前記引戸扉３を、戸先扉３１と中間扉３２と戸尻扉３３とに分割した引戸装置１において、戸先扉３１は引戸の進行方向と平行にのみ移動するように配設し、中間扉３２は前記戸先扉３１と揺動機構を介して揺動可能に連結するとともに、内部を中空構造とした戸尻扉３３内に収納可能とし、戸尻扉３３は戸尻側縦枠２ａ上面又は縦枠２ａと平行に配設した枠材２ａ’の上面から延設した揺動アーム４の先端と戸尻扉上面適所を揺動可能に枢設せしめ、中間扉３２の所定距離以上の進入に伴って中間扉３２とともに引戸扉３の進行方向に対して最大９０度まで折れ曲がりながら引戸扉３を開放するようにする。【選択図】図１
2008050760.tif 000002
【特許請求の範囲】
【請求項１】
出入口に配置される引戸扉と、引戸枠部材とからなり、前記引戸扉を、戸先扉と中間扉と戸尻扉とに分割した引戸装置において、戸先扉は引戸の進行方向と平行にのみ移動するように配設し、中間扉は前記戸先扉と揺動機構を介して揺動可能に連結するとともに、内部を中空構造とした戸尻扉内に収納可能とし、戸尻扉は戸尻側縦枠上面から延設した揺動アームの先端と戸尻扉上面適所を揺動可能に枢設せしめ、中間扉の所定距離以上の進入に伴って中間扉とともに引戸扉の進行方向に対して最大９０度まで折れ曲がりながら引戸扉を開放するようにしたことを特徴とする引戸装置。
【請求項２】
戸尻扉を、常時固定機構で固定し、中間扉の所定距離以上の進入によって固定機構を解除することを特徴とする請求項１記載の引戸装置。
【請求項３】
戸尻扉の戸尻側に、引戸扉進行方向と直角に付勢する付勢部材を配設することを特徴とする請求項１又は２記載の引戸装置。
【発明の詳細な説明】
【技術分野】
【０００１】
本発明は、引戸装置に関し、特に、複数の折戸が屈曲して出入口部分を開閉し、戸袋部分が不要となる引戸装置の改良に関するものである。
【背景技術】
【０００２】
従来の折戸式の引戸装置６０を図６〜図７に示す。
この引戸装置６０は、室内と室外とを連通する開口部分に配設するもので、縦枠６４に蝶板等からなる揺動機構６５を介して揺動自在に取り付けられた戸尻扉６１と、該戸尻扉６１の揺動機構６５と連結されていない他端とを扇形ギア８、８同士を噛合し、該扇形ギア８の軸芯同士をリンク９によって取り付け、折れ曲がるように連結した中間扉６２と、該中間扉６２と扇形ギア８、８同士を噛合させて連結した戸先扉６３とからなる。戸先扉６３は、扇形ギア８よって折れることなく、上枠に配設された走行用レール（図示省略）に載置した戸車によって平行に移動する。
そして、引戸の開閉においては図６に示すように戸先扉６３の把手６３ａを戸尻側（矢符Ｘ方向）に移行しつつ中間扉６２に配設する補助用の把手６２ａによって戸尻扉６１と中間扉６２とが屈曲するように補助力（矢符Ｙ方向）を与えながら引戸の開閉を行うようにしている（例えば、特許文献１参照）。
【０００３】
しかし、この場合、扉の開閉軌跡は、図７に示す一点破線のようになり、使用者側の開閉位置によっては、折戸の部分となる戸尻扉６１と中間扉６２とが使用者側にせり出し、体が開口部中心よりも戸尻側にあるときは、扉と接触する危険があり、また車椅子使用の場合には扉の開放がしづらいといった問題があった。
【特許文献１】特開２００４−１２４６２６号公報
【発明の開示】
【発明が解決しようとする課題】
【０００４】
本発明は、上記従来の引戸装置の有する問題点に鑑み、通常の引戸と同様の操作で扉の開放を行うことができ、使用者に折戸部分が接触することのない引戸装置を提供することを目的とする。
【課題を解決するための手段】
【０００５】
上記目的を達成するため、本発明の引戸装置は、出入口に配置される引戸扉と、引戸枠部材とからなり、前記引戸扉を、戸先扉と中間扉と戸尻扉とに分割した引戸装置において、戸先扉は引戸の進行方向と平行にのみ移動するように配設し、中間扉は前記戸先扉と揺動機構を介して揺動可能に連結するとともに、内部を中空構造とした戸尻扉内に収納可能とし、戸尻扉は戸尻側縦枠上面又は縦枠と平行に配設した枠材の上面から延設した揺動アームの先端と戸尻扉上面適所を揺動可能に枢設せしめ、中間扉の所定距離以上の進入に伴って中間扉とともに引戸扉の進行方向に対して最大９０度まで折れ曲がりながら引戸扉を開放するようにしたことを特徴とする。
【０００６】
この場合において、戸尻扉を、常時固定機構で固定し、中間扉の所定距離以上の進入によって固定機構を解除することができる。
【０００７】
また、戸尻扉の戸尻側に、引戸扉進行方向と直角に付勢する付勢部材を配設することができる。
【発明の効果】
【０００８】
本発明の引戸装置によれば、戸先扉は引戸の進行方向と平行にのみ移動するように配設し、中間扉は前記戸先扉と揺動機構を介して揺動可能に連結するとともに、内部を中空構造とした戸尻扉内に収納可能とし、戸尻扉は戸尻側縦枠上面又は縦枠と平行に配設した枠材の上面から延設した揺動アームの先端と戸尻扉上面適所を揺動可能に枢設せしめ、中間扉の所定距離以上の進入に伴って中間扉とともに引戸扉の進行方向に対して最大９０度まで折れ曲がりながら引戸扉を開放するようにしたから、中間扉が戸尻扉の所定位置までの進入で出入りする場合には通常の引戸扉と同様の操作のみで済み、更に広い開口幅が必要な場合には戸尻扉が中間扉とともに、戸尻側縦枠上面から延設した揺動アームの基端を固定の揺動中心とし、揺動アームの先端と中間扉の戸先側揺動軸心とを移動の揺動中心として、引戸扉の進行方向に対して最大９０度まで折れ曲がりながら引戸扉を開放するので中間扉と戸尻扉のせり出し開始位置が戸尻側となって使用者と接触することのない引戸装置を提供することができる。
【０００９】
また、戸尻扉を、常時固定機構で固定し、中間扉の所定距離以上の進入によって固定機構を解除するときは、通常の使用時には戸尻扉が動き出すことはなく、広い開口幅が必要となったときにのみ、その固定機構が解除され安全かつスムーズに引戸扉の開放を行うことができる。
【００１０】
また、戸尻扉の戸尻側に、引戸扉進行方向と直角に付勢する付勢部材を配設するときは、中間扉と戸尻扉が回動する際の動きがスムーズになる。
【発明を実施するための最良の形態】
【００１１】
以下、本発明の引戸装置の実施の形態を、図面に基づいて説明する。尚、従来装置と同様の構造については同一の符号、一連の符号を付し説明を省略する。
【実施例１】
【００１２】
図１〜図５に、本発明の引戸装置の一実施例を示す。
この引戸装置１は、引戸枠部材２と、居室に出入りする開口部を開閉する引戸扉３とより構成され、引戸扉３は戸先扉３１と中間扉３２と戸尻扉３３とに分割して構成する。
引戸扉３の開閉の仕組みは特に限定されるものではなく、引戸扉３の戸先扉３１と中間扉３２上面に備えた対をなす吊り車（図示省略）を走行用レール（図示省略）に載置し、通常は走行用レールを閉じ側に向けて傾斜せしめ、引戸扉３の自重によって、又は適宜手段（例えば、レールを床面と平行に取り付け、巻バネを用いて引戸扉３を閉鎖方向に付勢する等）によって常時は引戸扉３を閉じ方向に付勢するように構成する場合や走行用レールを水平に設け、開閉を人手のみにゆだねるものの他、引戸枠部材２下方の床面に敷設したレール上に引戸扉３を載置して引戸扉３を開閉する構成であってもかまわない。
本実施例の引戸装置１においては、直線運動のみの戸先扉３１の上面にＬ字状のブラケット３１ａを取り付け、該ブラケット３１ａに配設した固定の戸車を走行用レール７に載置するとともに、前記ブラケット３１ａの下面と中間扉３２の戸先側上面を図１に示すように、中間扉３２の戸先側上面とベアリング等の揺動部材３２ａを介して連結し、戸尻扉３３とともに揺動するように配設する。
【００１３】
戸先扉３１は、引戸扉３の進行方向と平行（直線運動）にのみ移動するように配設し、戸先側を円弧状に形成した中間扉３２と同心上に切り欠いた戸尻側によって室内からの明かりが外部に漏れないように構成する。
また、戸先扉３１と中間扉３２とは、従来例と同様、扇形ギア同士を噛合させる等の揺動機構を介して揺動可能に連結することもできる。
【００１４】
中間扉３２は、戸先側を揺動機構としての揺動部材３２ａによって戸先扉３１から延設したブラケット３１ａに揺動自在に連結し、戸尻側は、その下面に戸車を取り付け、戸尻扉３３の下面上部を走行するように構成する他、戸尻扉３３の上面又は下面内部とスライドレールを介して連結するように構成してもかまわない。
【００１５】
戸尻扉３３は、内部を中空構造とし、前記中間扉３２の進入を許容するようにしている。
また、戸尻扉３３は、戸尻側縦枠２ａの上面又は戸尻側縦枠２ａと平行に配設した枠材の上面適所に配設した固定揺動軸４ａを中心に揺動自在に延設した揺動アーム４の先端に配設する移動揺動軸４ｂと、その上面適所を揺動可能に枢設するようにしている。
そして、中間扉３２が戸尻扉３３内に所定距離以上進入したとき、引戸扉３の開放力（戸尻側への押圧力）によって、内部に進入している中間扉３２とともに、引戸扉３全体の進行に対して固定揺動軸４ａを固定の揺動中心とし、移動揺動軸４ｂと中間扉３２の戸先側上面に配設する揺動部材３２ａの揺動軸心とを移動の揺動中心として、最大９０度まで折れ曲がりながら図４（ｅ）に一点破線で示す移動軌跡のように移動し、引戸扉３を開放する。
戸尻扉３３の戸先側の正面は、中間扉３２とともに９０度揺動したときに戸先扉３１の端部と干渉しないように図４に示すように折れ方向に応じて切り欠いて構成する。
【００１６】
また、戸尻扉３３は、固定機構５によって中間扉３２が所定位置（図４（ｃ）に示す位置）を越えて進入するまで揺動することがないように固定することが好ましい。
固定機構５は、その構成を特に限定するものではなく、図２に示すように、戸尻扉３３の戸尻側適所に、バネ等の弾性部材５５で、戸先側に付勢するよう配設したロック部材５１と、該ロック部材５１の進入を許容する戸尻側縦枠２ａなどに切り欠いて形成したロック受け部材５２と、巻バネ等によって支点５３ｃを中心に揺動自在に戸尻扉３３のロック部材５１近傍に配設した保持部材５３と、中間扉３２の戸尻側適所に配設したロック解除部材５４とからなる。
【００１７】
この固定機構５は、常時は、ロック部材５１を戸先側に付勢する弾性部材５５の付勢力よりも大なる付勢力によって保持部材５３の一端５３ａがロック部材５１の端面を押圧することによってロック部材５１の一端がロック受け部材５２内に進入しており、戸尻扉３３は固定され揺動することはない。そして、中間扉３２が図４（ｃ）の位置まで進入してきたとき図２（ｂ）に示すように中間扉３２に配設したロック解除部材５４が保持部材５３の他端５３ｂに当接し、ロック部材５１の端面の押圧が解除され、弾性部材５５の付勢力によってロック部材５１はロック受け部材５２から抜け出し戸先側に移行し、戸尻扉３３の固定が解除される。
このロック部材５１を解除した後において、図４（ｄ）に示す、戸尻扉３３の揺動移動中に、ロック部材５１が戸尻扉３３の後端から不測に突出することがないようにすることが、戸尻扉３３を戸尻側縦枠２ａに再セットする際に、ロック部材５１の戸尻側縦枠２ａへの引っかかりを生じさせることがなく好ましい。
このためには、戸尻扉３３内に入っている中間扉３２が、戸尻扉３３とともに揺動移動しているときに、戸尻扉３３から抜け出さないよう、つまり、戸尻扉３３に対して、中間扉３２が移動しないように、一時ロック機構４０を戸尻扉３３に配設することが好ましい。
この一時ロック機構４０は、戸尻扉３３内に入りきった中間扉３２のレール方向と平行方向への移動を阻止する構造であれば、特に、その構成を限定するものではないが、例えば、図５に示すように、中間扉３２に凹部４２を形成し、中間扉３２が戸尻扉３３内に入りきった状態で、前記凹部４２に対応する位置に、戸尻扉３３表面からストッパピン４１が突出して中間扉３２の動きをロックするようにしている。
ストッパピン４１は、凹部４２への挿入端の他端に枢軸４１ａを配設し、該枢軸４１ａに、操作ハンドル４４のカム頭部４４ａを取り付け、枢軸４１ａと戸尻扉３３表面との間に内部にスプリング４３を配設したキャップ４５を戸尻扉３３に取り付けるようにしている。
そして、図５（ｂ）の状態で、戸尻扉３３と中間扉３２をロックし、図５（ｄ）の状態で、ロックを解除するようにしている。
【００１８】
また、引戸装置１の戸尻側となる戸尻側縦枠２ａの近傍、つまり、戸尻扉３３の戸尻側に、引戸扉進行方向と直角に付勢する付勢部材６を配設することが好ましい。
この付勢部材６は、その構成を特に限定するものではなく、図４に示すように戸尻扉３３を揺動方向に常時付勢するように配設するもので、固定機構５の戸尻扉３３の固定が解除されることによって戸尻扉３３を揺動方向に軽い力で付勢するバネやスプリング等の弾性部材を内蔵した構成の他、常時付勢することなく、固定機構５の固定解除に連動して戸尻扉３３を押圧するように構成してもかまわない。
【００１９】
しかして、閉鎖中の引戸扉３（図４（ａ）参照）を、開放するときは、戸先扉３１を図例右側に移行させ、戸先扉３１の移行に伴って中間扉３２は戸尻扉３３内に進入する（図４（ｂ）参照）。
一般に使用者が居室の内外を出入りするだけの場合においては、図４（ｃ）に示す開放位置で引戸扉３を停止する。
【００２０】
そして、車椅子使用者の出入りの場合や室内に大型の荷物を搬入する場合など、更に開口幅が必要な場合には戸先扉３１を更に図例右側に移行する。これによって中間扉３２が戸尻扉３３を固定している固定機構５の保持部材５３の他端５３ｂに当接し、戸尻扉３３の固定を解除する。
戸尻扉３３は、固定機構５の解除によって付勢部材６の付勢力が図４（ｄ）の矢符Ｂ方向に作用し、中間扉３２が戸先扉３１の移行に伴い更に図例右側に進行すると、戸尻扉３３は内部に進入している中間扉３２とともに、引戸扉３全体の進行に対して、戸先扉３１から延設したブラケット３１ａの下面と揺動自在に連結した揺動部材３２ａの軸芯と移動揺動軸４ｂとを中心に最大、図４（ｅ）に示す位置まで移動する。
この際、中間扉３２は、戸先扉３１から延設したブラケット３１ａの下面と揺動部材３２ａを介して連結されているから、揺動アーム４によって戸尻扉とともに中間扉３２のみが折れ曲がりながら進行し、通常状態よりも広い開口幅を確保することができる。
【００２１】
以上、本発明の引戸装置について、実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の引戸装置は、中間扉を戸尻扉内に収納し、戸尻扉を揺動させる際に中間扉を伴って揺動させ開口幅を広く確保することができるという特性を有していることから、折戸特有の走行軌跡をとることなく、引戸扉を開放する使用者と引戸扉が干渉することがないから、車椅子で利用する使用者の多い病院や老健施設の引戸装置としての用途に好適に適用することができる。
【図面の簡単な説明】
【００２３】
【図１】本発明の引戸装置の一実施例を示す一部切り欠きの正面図である。
【図２】同引戸装置に利用する固定機構を示し、（ａ）は固定状態を示す一部切り欠きの正面図、（ｂ）は固定解除状態を示す一部切り欠きの正面図である。
【図３】同引戸装置の戸先扉と中間扉の連結部分を示し、（ａ）は一部切り欠きの正面図、（ｂ）は（ａ）のＡ−Ａ断面矢視図、（ｃ）は中間扉の揺動要領を示す平面図である。
【図４】同引戸装置の開放要領を示す概略説明図で、（ａ）は閉鎖状態、（ｂ）は引戸扉開放初期状態、（ｃ）は中間扉が固定機構を解除する位置にきた状態、（ｄ）は戸尻扉が揺動を開始した状態、（ｅ）は引戸扉の全開状態、をそれぞれ示す。
【図５】同引戸装置の一時ロック機構の説明図で、（ａ）は全体平面図、（ｂ）はロック状態を示す一部断面の平面図、（ｃ）はストッパピンと操作ハンドルの連結部分を示す正面図、（ｄ）はロック解除状態を示す一部断面の平面図である。
【図６】従来の折戸式引戸装置を示し、（ａ）は一部切り欠きの平面図、（ｂ）は（ａ）のＺ部拡大図である。
【図７】従来の折戸式引戸装置の開放要領を示す概略説明図である。
【符号の説明】
【００２４】
１    引戸装置
２    引戸枠部材
２ａ  戸尻側縦枠
３    引戸扉
３１  戸先扉
３２  中間扉
３３  戸尻扉
４    揺動アーム
５    固定機構
６    付勢部材
【図１】
2008050760.tif 000003
【図２】
2008050760.tif 000004
【図３】
2008050760.tif 000005
【図４】
2008050760.tif 000006
【図５】
2008050760.tif 000007
【図６】
2008050760.tif 000008
【図７】
2008050760.tif 000009